(57)【要約】【課題】集塵性能を低下させることなく長期間使用できる電気掃除機を提供すること。【解決手段】吸引風から塵埃を分離する遠心分離部７と、遠心分離部７の下方に設けられた略円盤形状の保護部板２２ａと遠心分離部７と同軸の棒部２３ａとからなる塵埃圧縮板部２１ａと、遠心分離部７にて吸引風から分離した塵埃を堆積する塵埃蓄積部８とを備え、塵埃圧縮板部２１ａは、棒部２３ａが軸方向に移動自在に設けられ、塵埃蓄積部８に堆積した塵埃を上方から圧縮するように形成した。これにより、塵埃蓄積部８に堆積した塵埃が遠心分離部７に近づき難くなり、遠心分離部７のプレフィルター１６に付着するのを防止し、また、遠心分離部７で発生した回転気流は、前記塵埃蓄積部８の底面で反射し、堆積された塵埃が上方に巻き上げられるが、略円盤形状の保護部板２２ａにより跳ね返され、プレフィルター１６に付着するのを防止でき、集塵性能低下を抑えることができる。【選択図】図２
2007020767.tif 000002
【特許請求の範囲】
【請求項１】
吸引風を発する電動送風機と、前記吸引風から塵埃を分離する略円筒状の遠心分離部と、前記遠心分離部の下方に設けられた略円盤形状の保護部板と前記遠心分離部の中心軸と同軸の棒部とからなる塵埃圧縮板部と、前記塵埃圧縮板部の保護部板の下方に設けられ、遠心分離部にて吸引風から分離した塵埃を堆積する塵埃蓄積部とを備え、前記塵埃圧縮板部は、前記棒部が軸方向に移動自在に設けられ、軸方向に下降して前記塵埃蓄積部に堆積した塵埃を上方から圧縮するように形成された電気掃除機。
【請求項２】
遠心分離部に、中心軸が塵埃圧縮板部の棒部と同軸で、粗塵埃を分離する略円筒状のフィルターを設け、前記塵埃圧縮板部の棒部には、前記フィルターを内側から除塵する清掃具を設けた請求項１記載の電気掃除機。
【請求項３】
略円筒状のフィルター内部に、塵埃圧縮板部の棒部を軸方向に移動させる弾性体を設けた請求項２記載の電気掃除機。
【請求項４】
塵埃圧縮板部は、軟質材で形成された請求項１〜３のいずれか１項に記載の電気掃除機。
【請求項５】
塵埃圧縮板部は、帯電防止剤を含んだ材料で形成された請求項１〜３のいずれか１項に記載の電気掃除機。
【発明の詳細な説明】
【技術分野】
【０００１】
本発明は、電気掃除機の集塵構造に関するものである。
【背景技術】
【０００２】
従来の電気掃除機を、図７を用いて説明する。
【０００３】
有底の集塵室３１を設け、内部に吸気する吸気口３２を集塵室３１の側壁に接線方向に設けている。集塵室３１の上端開口部３３を覆うように蓋体３４を設け、この蓋体３４に排気口３５を設ける。また集塵室３１の上端開口部３３を覆うようにフィルター３６を取り付けている。電動送風機３７が運転すると塵埃は吸引部３８より吸引され、吸気口３２より集塵室３１内に吸気され、集塵室３１内で遠心分離され、排気はフィルター３６を通して排気口３５より排出される（特許文献１参照）。
【特許文献１】特開２００１−１０４２２３号公報
【発明の開示】
【発明が解決しようとする課題】
【０００４】
しかしながら、前記従来の構成では、集塵室３１内に堆積して溜まった塵埃がフィルター３６に付着し、集塵性能を低下させるという課題を有していた。
【０００５】
本発明は、前記従来の課題を解決するもので、集塵室３１内に堆積して溜まった塵埃を集塵室３１内で圧縮させることで、塵埃がフィルター３６に付着するのを抑え、集塵性能を低下させることなく長期間使用することができる電気掃除機を提供することを目的とする。
【課題を解決するための手段】
【０００６】
前記従来の課題を解決するために、本発明の電気掃除機は、吸引風を発する電動送風機と、前記吸引風から塵埃を分離する略円筒状の遠心分離部と、前記遠心分離部の下方に設けられた略円盤形状の保護部板と前記遠心分離部の中心軸と同軸の棒部とからなる塵埃圧縮板部と、前記塵埃圧縮板部の保護部板の下方に設けられ、遠心分離部にて吸引風から分離した塵埃を堆積する塵埃蓄積部とを備え、前記塵埃圧縮板部は、前記棒部が軸方向に移動自在に設けられ、軸方向に下降して前記塵埃蓄積部に堆積した塵埃を上方から圧縮するように形成したものである。
【０００７】
これによって、塵埃圧縮板部で堆積していった塵埃を圧縮させることで、塵埃の堆積高さを低く維持できるため、塵埃が遠心分離部に近づきにくくなり、遠心分離部のフィルターに付着するのを防止すると共に、塵埃圧縮板部を略円盤形状に形成したことで、前記遠心分離部で発生した回転気流は、前記塵埃蓄積部の底面で反射することにより再度上昇するため、いったん堆積された塵埃は再度上方に巻き上げられるが、下方に向かって開いた前記略円盤形状の塵埃圧縮板部により跳ね返され、再び前記塵埃蓄積部内に堆積されることで、塵埃が遠心分離部のフィルターに付着するのを防止し集塵性能低下を抑えることができる。
【発明の効果】
【０００８】
本発明の電気掃除機は、塵埃の圧縮機能を設け塵埃が遠心分離部のフィルターに付着するのを防止させたことで、集塵性能を低下させることなく長期間使用することができる。
【発明を実施するための最良の形態】
【０００９】
第１の発明は、吸引風を発する電動送風機と、前記吸引風から塵埃を分離する略円筒状の遠心分離部と、前記遠心分離部の下方に設けられた略円盤形状の保護部板と前記遠心分離部の中心軸と同軸の棒部とからなる塵埃圧縮板部と、前記塵埃圧縮板部の保護部板の下方に設けられ、遠心分離部にて吸引風から分離した塵埃を堆積する塵埃蓄積部とを備え、前記塵埃圧縮板部は、前記棒部が軸方向に移動自在に設けられ、軸方向に下降して前記塵埃蓄積部に堆積した塵埃を上方から圧縮するように形成したもので、集塵室内に堆積していった塵埃が遠心分離部に近づき、容易に遠心分離部のフィルターに付着して集塵性能を低下させいたが、塵埃圧縮板部で堆積していった塵埃を圧縮させることで、塵埃の堆積高さを低く維持できるため、塵埃が遠心分離部に近づきにくくなり、遠心分離部のフィルターに付着するのを防止すると共に、塵埃圧縮板部を略円盤形状に形成したことで、前記遠心分離部で発生した回転気流は、前記塵埃蓄積部の底面で反射することにより再度上昇するため、いったん堆積された塵埃は再度上方に巻き上げられるが、下方に向かって開いた前記略円盤形状の塵埃圧縮板部により跳ね返され、再び前記塵埃蓄積部内に堆積されることで、塵埃が遠心分離部のフィルターに付着するのを防止し集塵性能低下を抑えることで長期間使用することができる。
【００１０】
第２の発明は、第１の発明の遠心分離部に、中心軸が塵埃圧縮板部の棒部と同軸で、粗塵埃を分離する略円筒状のフィルターを設け、前記塵埃圧縮板部の棒部には、前記フィルターを内側から除塵する清掃具を設けたもので、塵埃圧縮板部が上下に移動することにより、前記塵埃圧縮板部の棒部に設けられた清掃具が上下に移動し、清掃具がフィルターに付着した塵埃を払い取り、集塵性能を回復させ長期間使用することができる。
【００１１】
第３の発明は、第２の発明の略円筒状のフィルター内部に、塵埃圧縮板部の棒部を軸方向に移動させる弾性体を設けたもので、弾性体を略円筒状のフィルター内部に設けたことで、塵埃が弾性体に引っ掛かることがなく、また、弾性体の弾力により塵埃圧縮板部が堆積した塵埃を自動的に圧縮させることで、塵埃の堆積高さを自動的に低く維持できるため、塵埃が遠心分離部に近づきにくくなり、塵埃が遠心分離部のフィルターに付着するのを妨げ集塵性能低下を抑えることで長期間使用することができる。
【００１２】
第４の発明は、第１〜第３のいずれか１つの発明において、塵埃圧縮板部を軟質材で形成したもので、塵埃圧縮板部を堆積した塵埃上に下降させて塵埃を圧縮すると、軟質材で形成されている塵埃圧縮板部の略円盤形状の縁が塵埃の反発力により反り上がり塵埃に面する塵埃圧縮板部の略円盤形状面積が増加し、より広面積で塵埃を圧縮し、より高密度に塵埃を圧縮するため、塵埃の堆積高さをより低く維持できるため、塵埃が遠心分離部により近づきにくくなり、遠心分離部のフィルターに付着するのをより防止し、集塵性能低下を抑えることでより長期間使用することができる。
【００１３】
第５の発明は、第１〜第３のいずれか１つの発明において、塵埃圧縮板部を帯電防止剤を含んだ材料で形成したもので、帯電防止剤の効果で塵埃圧縮板部への塵埃の付着がないため、塵埃圧縮板部に当り跳ね返される回転気流の流速が低減されず、塵埃が遠心分離部のフィルターに付着するのを防止し集塵性能低下を抑え長期間使用することができる。
【００１４】
（実施の形態１）
本発明の第１の実施の形態について、図１、図２、図３を用いて説明する。
【００１５】
図１、図２、図３において、５は吸引風を発する電動送風機６と塵埃を吸引する吸込具に連通し、上方に配設され吸引した吸引風から塵埃を遠心分離する遠心分離部７と、下方に配設され前記遠心分離部７から分離された塵埃を堆積する塵埃蓄積部８から構成された集塵部である。
【００１６】
また、９は前記吸込具にて吸引した塵埃を含む吸引風を集塵部５に流入するための吸気口部で、１０は前記遠心分離部７の入口で前記吸気口部９から吸引された塵埃を含む吸引風を、前記遠心分離部７室内に略均等に分流するための分岐口部である。また、１１は前記集塵部５を運ぶための把手部で、１２は前記集塵部５の略上方に開口部１３を設け、前記開口部１３を覆い、内部に吸引した吸引風が含む塵埃の濾過用のフィルター部１４を配設した集塵部蓋で、１５は前記把手部１１近傍に設けて、前記集塵部蓋１２と前記集塵部５の間を係止及び解除させる操作部である。
【００１７】
また、１６は前記集塵部５と前記集塵部蓋１２の間に配置され、前記遠心分離部７の鉛直方向の略中心上に位置し、略円筒状をなす粗塵蓄積用のプレフィルターである。
【００１８】
また、２１ａは遠心分離部７の下部に設けた略円盤形状の保護部板２２ａと略円柱状の棒部２３ａとで構成される塵埃圧縮板部である。前記棒部２３ａは集塵部蓋１２に設けられた略円状の開口部２４ａ、フィルター部１４に設けられた略円状の開口部２５ａ、遠心分離部７底面に設けられた略円状の開口部２６ａを通り抜け保護部板２２の天面に連通しており、前記棒部２３ａが上下に移動することで連通している保護部板２２ａも上下に連動して移動する。
【００１９】
また、１８は塵埃蓄積部８の外周に設けた塵埃を排出するための排出口で、１９は前記排出口１８を覆う排出口蓋である。
【００２０】
以上のように構成された電気掃除機について、以下その作用を説明する。
【００２１】
電気掃除機を運転すると、前記電動送風機６より吸引された塵埃を含む吸引風は前記吸気口部９を通り、前記前記遠心分離部７の吸気上流側に設けた前記分岐口部１０により略均等に分流された状態で前記遠心分離部７の内面の略接線方向に吸引される。
【００２２】
吸引された塵埃を含む吸引風は、前記遠心分離部７内周面を回転しながら自らの質量により下方に落下し、前記遠心分離部７の下部の前記塵埃蓄積部８の中に堆積される。その後、前記遠心分離部７で発生した回転気流は、前記塵埃蓄積部８の底面で反射することにより再度上昇するため、いったん堆積された塵埃は再度上方に巻き上げられるが、遠心分離部７の下部に設けた下方に向かって開いた前記略円盤形状の保護部板２２ａにより跳ね返されて、再び前記塵埃蓄積部８内に堆積される。
【００２３】
前記遠心分離部７で粗塵埃を分離した細塵を含む吸引風は、前記プレフィルター部１６を通過して、前記集塵部蓋１２の内部の前記フィルター部１４を通過するとき、細塵を濾過して、きれいな状態で前記電動送風機６に吸引された後、大気に排出される。
【００２４】
塵埃蓄積部８内に塵埃が堆積され続けると、堆積された上層の塵埃は吸引風が流れ込むプレフィルター部１６に近づくため、前記プレフィルター部１６付着しやすくなるが、棒部２３ａを下に移動させることで、前記棒部２３ａに連通している保護部板２２ａの底面が下に移動して堆積された上層の塵埃を圧縮することで、塵埃の積層高さを低くし、堆積された上層の塵埃はプレフィルター部１６から遠のき、前記プレフィルター部１６付着し難くなり、集塵性能を低下させず長期間使用することができる。
【００２５】
（実施の形態２）
本発明の第２の実施の形態について、図２を用いて説明する。なお、上記実施の形態と同一部品については同一符合を付してその説明を省略する。
【００２６】
図２において、塵埃圧縮板部２１ａを帯電防止剤を含んだ材料で成形したものである。
【００２７】
以上のように構成された電気掃除機について、以下その作用を説明する。
【００２８】
帯電防止剤の効果で塵埃圧縮板部２１ａの保護部板２２ａへの塵埃の付着をなくすことで、保護部板２２ａへ当り跳ね返される回転気流の流速が低減されず、塵埃が遠心分離部７のプレフィルター１６に付着するの妨げ集塵性能低下を抑え、長期間使用することができる。
【００２９】
（実施の形態３）
本発明の第３の実施の形態について、図４（ａ）、（ｂ）を用いて説明する。なお、上記実施の形態と同一部品については同一符合を付してその説明を省略する。
【００３０】
本実施の形態の特徴は、塵埃圧縮板部２１ａを軟質材で成形したものである。
【００３１】
以上のように構成された電気掃除機について、以下その作用を説明する。
【００３２】
図４（ｂ）に示す状態から、塵埃圧縮板部２１ａを堆積した塵埃上に下降させて、図４（ａ）に示すように、塵埃を圧縮すると、軟質材で形成されている塵埃圧縮板部２１ａの保護部板２２ａ縁が塵埃の反発力により反り上がり塵埃に面する保護部板２２ａ面積が増加し、より広面積で塵埃を圧縮することで、より高密度に塵埃を圧縮するため、塵埃の堆積高さをより低く維持でき、塵埃が遠心分離部７により近づきにくくなり、遠心分離部７のプレフィルター１６に付着するのをより防止し、集塵性能低下を抑えることでより長期間使用することができる。
【００３３】
（実施の形態４）
本発明の第４の実施の形態について、図５を用いて説明する。なお、上記実施の形態と同一部品については同一符合を付してその説明を省略する。
【００３４】
図５において、棒部２３ａの外周に略リング状の清掃具２７を配置する。前記清掃具２７はプレフィルター１６の内寸法より僅かに小さい外寸法を有し、遠心分離部７内を上下方向にスムーズに動くことができる。前記清掃具２７の外面にはプレフィルター１６の内面に接するブラシ２８を取り付ける。前記ブラシ２８は合成樹脂の剛毛を有し、その毛先は遠心分離部７の内面曲率に見合う曲率に揃えられており、プレフィルター１６に弾力的に接触する。なお、このような剛毛からなるブラシ２７の他、起毛布、軟質樹脂等を配置しても良い。
【００３５】
以上のように構成された電気掃除機について、以下その作用を説明する。
【００３６】
フィルター１６を除塵する清掃具２７を設けたもので、塵埃圧縮板部２１ｃが上下に移動することにより、前記塵埃圧縮板部２１ｃの棒部２３ａに設けられた清掃具２７が上下に移動し、清掃具２７外面に設けられたブラシ２８がプレフィルター１６に付着した塵埃を払い取り、集塵性能を回復させることで長期間使用することができる。
【００３７】
（実施の形態５）
本発明の第５実施の形態について、図６を用いて明する。なお、上記実施の形態と同一部品については同一符合を付してその説明を省略する。
【００３８】
図６において、２１ｃは遠心分離部７の下部に設けた略円盤形状の保護部板２２ｃと、先端が略円盤部を有する略円柱状の棒部２３ｃとで構成される塵埃圧縮板部である。２６ｃは前記棒部２３ｃが通る開口部であり、遠心分離部７内に前記棒部２３ｃを包み棒部２３ｃの略円盤部の周径よりも僅かに大きい内径の略円筒箱２９を配設し、３０は前記略円盤部と前記略円筒箱２９天井面間に配設した弾性体である。
【００３９】
以上のように構成された電気掃除機について、以下その作用を説明する。
【００４０】
塵埃圧縮板部２１ｃを自動的に上下動作させる弾性体３０を遠心分離部７内に配設させたことで、前記弾性体３０に塵埃が付着することがないため、前記弾性体３０がスムーズに伸縮して保護部板２２ｃを下に移動させ堆積された上層の塵埃を圧縮することで、自動的に塵埃の積層高さ塵埃の積層高さを低くし、堆積された上層の塵埃はプレフィルター部１６から遠のき、前記プレフィルター部１６に付着し難くなり、集塵性能を低下させず長期間使用することができる。
【産業上の利用可能性】
【００４１】
以上のように、本発明にかかる電気掃除機は、集塵性能を低下させず長期間使用することができ、使用性を向上した電気掃除機を提供できる。
【図面の簡単な説明】
【００４２】
【図１】本発明の実施の形態１を示す電気掃除機の全体断面図
【図２】同集塵部の略断面図
【図３】同集塵部の略上面図
【図４】（ａ）本発明の実施の形態３を示す、塵埃圧縮板部下降後の略集塵部断面図（ｂ）同、塵埃圧縮板部下降前の略集塵部断面図
【図５】本発明の実施の形態４を示す略集塵部断面図
【図６】本発明の実施の形態５を示す略集塵部断面図
【図７】従来の電気掃除機の略構成図
【符号の説明】
【００４３】
６    電動送風機
７    遠心分離部
８    塵埃蓄積部
２１  塵埃圧縮板部
２７  清掃具
３０  弾性体
【図１】
2007020767.tif 000003
【図２】
2007020767.tif 000004
【図３】
2007020767.tif 000005
【図４】
2007020767.tif 000006
【図５】
2007020767.tif 000007
【図６】
2007020767.tif 000008
【図７】
2007020767.tif 000009